(57)【要約】【課題】貼り付ける作業及び剥がす作業を効率よく行うことができる隠蔽シート及び隠蔽部材を提供する。【解決手段】一実施形態に係る隠蔽シートは、被隠蔽情報を含む書面に貼り付けられる隠蔽シート１であって、表面１１ａ及び裏面１１ｂを有する透明又は半透明の基材層１１と、基材層１１の裏面１１ｂに設けられて書面Ｆに剥離可能に接着する粘着層１２と、基材層１１の表面１１ａ及び裏面１１ｂの少なくともいずれかの一部に配置される複数の隠蔽層１３とを備え、隠蔽層１３の少なくとも一部が不透明である。【選択図】図５
2020034881.tif 000002
【特許請求の範囲】
【請求項１】
被隠蔽情報を含む貼り付け対象物に貼り付けられる隠蔽シートであって、
表面及び裏面を有する透明又は半透明の基材層と、
前記基材層の裏面に設けられて前記貼り付け対象物に剥離可能に接着する粘着層と、
前記基材層の表面及び裏面の少なくともいずれかの一部に配置される複数の隠蔽層と、
を備え、
前記隠蔽層の少なくとも一部が不透明である、
隠蔽シート。
【請求項２】
前記貼り付け対象物の予め定められた位置に位置合わせされる位置合わせ部を少なくとも１つ備える、
請求項１に記載の隠蔽シート。
【請求項３】
前記貼り付け対象物は書面であり、
前記隠蔽層は、前記書面の被隠蔽情報の箇所に応じて設けられる、
請求項１又は２に記載の隠蔽シート。
【請求項４】
前記隠蔽層は、前記基材層に印刷によって形成されている、
請求項１〜３のいずれか一項に記載の隠蔽シート。
【請求項５】
前記粘着層は、前記基材層の端部に形成されている、
請求項１〜４のいずれか一項に記載の隠蔽シート。
【請求項６】
請求項１〜５のいずれか一項の複数の隠蔽シートが積層された積層体を備える、
隠蔽部材。
【発明の詳細な説明】
【技術分野】
【０００１】
本開示の一側面は、隠蔽シート及び隠蔽部材に関する。
【背景技術】
【０００２】
予めフォーマットが決められた所定の書類に氏名及び住所等の情報を記載して役所又は金融機関等に届け出たり郵送したりすることは従来から行われている。書面に記載する情報の中には、個人情報等、役所等の担当者以外の者に知られるべきではない情報も含まれており、これらの情報をいかに扱うかが重要視されている。これらの情報が記載された書面は、システムに入力等された後に現物として鍵付きロッカー等において厳重に保管される。
【０００３】
また、特に近年個人情報等の取り扱いが厳しくなっており、例えば、当該書面が机上等に放置され、その結果、偶然個人情報等が担当者以外の者に見られてしまうことが懸念される。特許文献１には、複写原稿等の隠したい情報を隠す隠蔽性粘着テープが記載されている。隠蔽性粘着テープは着色されており、隠蔽性粘着テープを隠したい部分に貼り付けることによって当該部分を隠すことが可能となる。
【先行技術文献】
【特許文献】
【０００４】
【特許文献１】特開平１−１１０１３８号公報
【発明の概要】
【発明が解決しようとする課題】
【０００５】
前述したように、隠蔽性粘着テープは、貼り付け対象物の隠したい箇所のそれぞれに貼り付けられる。よって、隠すべき情報が１つの貼り付け対象物に多く存在する場合には、隠蔽性粘着テープを適切な長さに切り取って、隠したい情報のそれぞれに隠蔽性粘着テープの位置を合わせて貼り付けなければならない。従って、隠蔽性粘着テープを貼り付ける作業に膨大な時間と労力を要することが懸念される。また、例えば貼り付け対象物が書面であって、当該書面の保管期限が満了して当該書面をシュレッダー等で破棄するときには、シュレッダー等の故障を避けるために当該書面に貼り付けられた複数の隠蔽性粘着テープを１枚１枚剥がした後に当該書面を破棄する必要がある。よって、１つの書面に多くの隠蔽性粘着テープが貼り付けられている場合には、隠蔽性粘着テープを剥がす作業に膨大な労力を要する。このように、隠蔽性粘着テープを用いる場合には、隠すべき被隠蔽情報を隠すことはできるものの、貼り付ける作業及び剥がす作業に膨大な時間と労力を要する場合がある。
【課題を解決するための手段】
【０００６】
本開示の一形態に係る隠蔽シートは、被隠蔽情報を含む貼り付け対象物に貼り付けられる隠蔽シートであって、表面及び裏面を有する透明又は半透明の基材層と、基材層の裏面に設けられて貼り付け対象物に剥離可能に接着する粘着層と、基材層の表面及び裏面の少なくともいずれかの一部に配置される複数の隠蔽層と、を備え、隠蔽層の少なくとも一部が不透明である。
【０００７】
この形態に係る隠蔽シートは、透明又は半透明の基材層の裏面に剥離可能な粘着層が設けられると共に、基材層の一部に、少なくとも一部が不透明な隠蔽層が配置される。従って、被隠蔽情報に隠蔽層が重なるように貼り付け対象物に隠蔽シートが貼り付けられることにより、隠蔽層の不透明な部分によって被隠蔽情報を隠すことができる。また、基材層の一部に複数の隠蔽層が設けられることにより、１枚の隠蔽シートの複数の隠蔽層で複数の被隠蔽情報を一度に隠すことができる。従って、隠すべき情報が１つの書面に複数存在しても、１枚の隠蔽シートを貼り付けて複数の被隠蔽情報を一度に隠すことができる。その結果、隠蔽シートを貼り付ける作業を容易に行うことができると共に、隠蔽シートを剥がす作業を容易に行うことができる。更に、透明又は半透明の基材層の一部に隠蔽層が設けられるので、隠さなくてよい箇所は基材層の隠蔽層が設けられない部分から視認可能となる。すなわち、基材層の残部から被隠蔽情報以外の情報を視認可能とすることができる。
【０００８】
別の形態に係る隠蔽シートは、貼り付け対象物の予め定められた位置に位置合わせされる位置合わせ部を少なくとも１つ備えてもよい。
【０００９】
別の形態において、貼り付け対象物は書面であり、隠蔽層は、書面の被隠蔽情報の箇所に応じて設けられてもよい。
【００１０】
別の形態において、隠蔽層は、基材層に印刷によって形成されていてもよい。
【００１１】
別の形態において、粘着層は、基材層の端部に形成されていてもよい。
【００１２】
本開示の一形態に係る隠蔽部材は、前述の複数の隠蔽シートが積層された積層体を備える。この形態の隠蔽部材は、前述した隠蔽シートを備えるので、前述と同様の効果が得られる。更に、この隠蔽部材は、複数の隠蔽シートが積層された積層体を備えるので、積層体から１枚１枚の隠蔽シートを剥がして使うことにより、付箋と同様に手軽に隠蔽シートを剥がして使うことができる。更に、複数の隠蔽シートが積層されていることにより、隠蔽シートを支持する台紙の枚数を減らすことができる。
【発明の効果】
【００１３】
本開示によれば、隠蔽を目的とした貼り付ける作業及び剥がす作業を効率よく行うことができる。
【図面の簡単な説明】
【００１４】
【図１】図１は、実施形態に係る隠蔽シートが適用される貼り付け対象物の例を示す図である。
【図２】図２は、実施形態に係る隠蔽シートの例を示す図である。
【図３】図３は、図２の隠蔽シートが適用された貼り付け対象物の例を示す図である。
【図４】図４は、実施形態に係る隠蔽部材の例を示す斜視図である。
【図５】図５は、図２の隠蔽シートの層構造の例を示す図である。
【図６】図６は、変形例に係る粘着層の位置の例を示す図である。
【発明を実施するための形態】
【００１５】
以下では、図面を参照しながら本開示に係る隠蔽シート及び隠蔽部材の実施形態について説明する。図面の説明において、同一又は相当する要素には同一の符号を付し、重複する説明を適宜省略する。また、図面は、理解を容易にするため、一部を簡略化又は誇張している場合があり、寸法比率等は図面に記載のものに限定されない。
【００１６】
本実施形態に係る隠蔽シートは、隠蔽される被隠蔽情報を含む貼り付け対象物に貼り付けられるものである。本明細書における「隠蔽」とは、他人に見られたくない、他人に見せる必要がない、又は他人に容易に見られるべきではない情報を隠すことを示しており、特定者以外に情報を見せないように当該情報を保護することを含んでいる。また、本実施形態における情報の「保護」は、偶然目に入ってしまったときに保護対象の情報が読み取れなければよいレベルも含んでいる。
【００１７】
「被隠蔽情報」とは、隠される情報、すなわち隠蔽される情報を示しており、例えば、個人情報、機密情報、営業秘密及び秘匿情報等、隠すべき情報を含んでいる。「貼り付け対象物」とは、隠蔽シートが貼り付けられる対象のものを示しており、具体的には、被隠蔽情報が記載された書面、書類及びマークシートを含んでいる。「書面」は、様々な紙媒体を含んでおり、例えば、振込用紙、口座開設申請書等の申請書類、届出書類及び提出書類を含んでいる。
【００１８】
図１は、貼り付け対象物の一例である書面Ｆを示す図である。書面Ｆは、例えば、被隠蔽情報を含む情報が記載された後に役所又は金融機関等に提出される紙媒体である。一例として、書面Ｆに記載された情報は役所又は金融機関等の担当者によってコンピュータに入力又はＯＣＲ等によって読み取り処理され、その後、書面Ｆは倉庫等に一定期間（例えば数年間）施錠されて保管される。
【００１９】
ところで、特に近年、書面Ｆに記載された被隠蔽情報の取り扱いが厳しくなっており、例えば、書面Ｆに記載された被隠蔽情報を上記の担当者以外の者から保護する（担当者以外の者から見えないようにする）ことが求められる。しかしながら、書面Ｆは、手渡し又は郵送等によって役所又は金融機関等に届いてから倉庫等に保管されるまでの間に、例えば机上に置かれる等の理由で上記担当者以外の者に見られることが懸念される。
【００２０】
書面Ｆに記載された情報には、個人情報等の被隠蔽情報と、通し番号等の隠す必要がない情報（非隠蔽情報、被隠蔽情報以外の情報）とが含まれる。本実施形態に係る隠蔽シートは、書面Ｆに記載された情報のうち被隠蔽情報を隠すと共に、隠す必要がない情報を視認可能とする。このように、隠すべき（又は隠したい）情報を隠しつつ、隠さなくてもよい情報を見えるようにすることにより、情報の保護を確実に実現させると共に情報の取り扱い業務の効率化に寄与している。
【００２１】
一例として、本実施形態に係る書面Ｆは、帳票種別コードＦ１、個人番号Ｆ２、氏名Ｆ３、フリガナＦ４、性別Ｆ５、生年月日Ｆ６、現住所Ｆ７、備考Ｆ８及び印部Ｆ９，Ｆ１０を含んでいる。例えば、個人番号Ｆ２、氏名Ｆ３、フリガナＦ４、性別Ｆ５、生年月日Ｆ６及び現住所Ｆ７は被隠蔽情報であり、帳票種別コードＦ１及び備考Ｆ８は非隠蔽情報である。印部Ｆ９，Ｆ１０は、一例として、書面Ｆの識別のために設けられるシート識別マークであるが、別の用途で用いられるものであってもよい。
【００２２】
図２は、本実施形態に係る隠蔽シート１を示す図である。図３は、隠蔽シート１を書面Ｆに貼り付けた例を示す図である。例えば、隠蔽シート１は、粘着部２を備えており、粘着部２によって書面Ｆに剥離可能に接着される。「剥離可能に接着」とは、被接着物に接着するものの、被接着物から剥がされたときに接着物も被接着物も破壊されることなく剥離可能であることを示している。すなわち、例えば書面Ｆが破棄される場合等には、隠蔽シート１は書面Ｆから剥がされて、書面Ｆはシュレッダー等によって破棄される。
【００２３】
隠蔽シート１は、書面Ｆの少なくとも一部に貼り付けられる。隠蔽シート１は、書面Ｆの少なくとも一部を隠すシートである。換言すれば、隠蔽シート１は、書面Ｆの被隠蔽情報を隠して保護する情報保護シートである。例えば、隠蔽シート１は、書面Ｆの被隠蔽情報が記載された領域を覆うように貼り付けられる。
【００２４】
一例として、隠蔽シート１は、書面Ｆの所定部分（例えば上側部分）の被隠蔽情報を含む領域Ｒ１に貼り付けられ、非隠蔽情報の領域Ｒ２を覆わないように貼り付けられてもよい。例えば、隠蔽シート１は多角形状（一例として四角形状）とされているが、隠蔽シート１の形状は適宜変更可能である。また、隠蔽シート１の面積は、例えば、書面Ｆの面積より小さいが、書面Ｆの面積と同一、又は書面Ｆの面積より大きくてもよい。隠蔽シート１のサイズは、一例としてＡ５サイズであってもよいが、適宜変更可能である。
【００２５】
例えば、隠蔽シート１の縦方向の長さは書面Ｆの縦方向の長さよりも短く、隠蔽シート１の横方向の長さは書面Ｆの横方向の長さよりも短い。しかしながら、隠蔽シート１の縦方向の長さは、書面Ｆの縦方向の長さと同一、又は書面Ｆの縦方向の長さより長くてもよい。また、隠蔽シート１の横方向の長さは、書面Ｆの横方向の長さと同一、又は書面Ｆの横方向の長さより長くてもよい。
【００２６】
粘着部２は、例えば、隠蔽シート１の端部（一例として上端）に設けられる。「端部」とは、ある物の端を含む領域を示しており、当該物の外縁、辺又は角を含む領域を示している。一例として、粘着部２は、隠蔽シート１の端部において隠蔽シート１の一辺に沿うように配置されており、直線状に配置されていてもよい。なお、粘着部２の形状及び大きさ（面積）は適宜変更可能である。更に、粘着部２の数及び配置態様は適宜変更可能であり、隠蔽シート１の全面、又は隠蔽シート１の一部に、複数の粘着部２がストライプ状又は点状に設けられていてもよい。
【００２７】
隠蔽シート１は、透明又は半透明とされた透明部３と、少なくとも一部が不透明とされた不透明部４と、書面Ｆに位置合わせされる位置合わせ部５，６とを更に備える。「位置合わせ部」とは、貼り付け対象物に対する隠蔽シートの位置を合わせる部位を示しており、位置合わせマーク又はアライメントマークとも称される。なお、位置合わせマーク又はアライメントマークは複数設けられていてもよい。これにより、位置合わせ性を一層高めることができる。更に、かかる複数の位置合わせマーク又はアライメントマークについては、対角に配置してもよい。この場合、更に位置合わせ性を高めることができる。また、「透明又は半透明」とは、ある物質を光が透過して当該物質の反対側が視認可能であることを示している。「透明」は略完全に透き通っていることを示し、「半透明」は少しでも透き通っていることを示している。「不透明」は、光がある物質を透過するか否かにかかわらず、当該物質の反対側が視認不能又は判別不能であることを示している。
【００２８】
例えば、隠蔽シート１は複数の不透明部４を備えており、複数の不透明部４のそれぞれは書面Ｆの被隠蔽情報を覆う位置に配置される。不透明部４は隠蔽シート１の一部に設けられており、例えば、隠蔽シート１に分散して複数の不透明部４が配置されている。複数の不透明部４は、書面Ｆの被隠蔽情報の位置に対応する箇所に設けられる。具体例として、不透明部４は、書面Ｆの個人番号Ｆ２、氏名Ｆ３、フリガナＦ４、性別Ｆ５、生年月日Ｆ６及び現住所Ｆ７のそれぞれに対応する位置に設けられる。透明部３は、例えば、可視光を透過する部位であって、隠蔽シート１の不透明部４が設けられない箇所に配置されている。透明部３は、帳票種別コードＦ１等、非隠蔽情報を視認可能とする部位である。
【００２９】
位置合わせ部５，６は、書面Ｆに対する隠蔽シート１の位置調整用のマークである。位置合わせ部５は、例えば、書面Ｆの印部Ｆ９に対応する位置に配置され、位置合わせ部６は、書面Ｆの印部Ｆ１０に対応する位置に配置される。例えば、位置合わせ部５が印部Ｆ９に合わせられ、位置合わせ部６が印部Ｆ１０に合わせられることによって書面Ｆに対する隠蔽シート１の位置合わせがなされる。なお、位置合わせ部５は、印部Ｆ９以外の箇所に合わせられる部位であってもよい。例えば、位置合わせ部５は、印部Ｆ９に対応する形状とされており、枠状（矩形枠状）とされていてもよい。一例として、位置合わせ部５は隠蔽シート１の隅部に設けられる。なお、位置合わせ部５の形状、大きさ（面積）及び配置態様は適宜変更可能である。位置合わせ部６についても同様である。更に、上記の例では、２つの位置合わせ部（位置合わせ部５及び位置合わせ部６）を備える例について説明しているが、位置合わせ部の数も適宜変更可能である。
【００３０】
図４は、本実施形態に係る隠蔽部材１０を示す斜視図である。隠蔽部材１０は、例えば、パッド状（隠蔽シート１が１枚ずつ剥がされる帳面）とされており、複数の隠蔽シート１が積層された隠蔽シートパッドである。図４に示されるように、隠蔽部材１０は、複数の隠蔽シート１が積層された積層体１０Ａを備える。例えば、積層体１０Ａは、位置及び向きが揃えられた複数の隠蔽シート１が重ねられて構成されている。
【００３１】
隠蔽部材１０は、積層体１０Ａを保持する台紙１０Ｂを更に備えてもよく、この場合、積層体１０Ａの一番下に位置する隠蔽シート１を台紙１０Ｂに保持することが可能となる。このように、隠蔽部材１０が複数の隠蔽シート１を含む積層体１０Ａを備えることにより、隠蔽部材１０から１枚ずつ隠蔽シート１を剥がして書面Ｆに貼り付けることが可能となる。なお、図４の隠蔽部材１０とは異なり、１枚の隠蔽シート１ごとに台紙が設けられる隠蔽部材であってもよい。但し、積層体１０Ａを保持する台紙１０Ｂを備える場合には、複数の積層体１０Ａから１枚の隠蔽シート１を剥がすこととなるため、１枚の隠蔽シート１ごとに台紙が設けられる場合と比較して隠蔽シート１を取りやすく作業性が向上する。
【００３２】
次に、隠蔽シート１の層構造の例について図５を参照しながら説明する。隠蔽シート１は、表面１１ａ及び裏面１１ｂを有する基材層１１と、裏面１１ｂに設けられる粘着層１２と、表面１１ａ及び裏面１１ｂの少なくともいずれかの一部に配置される隠蔽層１３とを備える。裏面１１ｂは書面Ｆ側を向く基材層１１の面であり、表面１１ａは裏面１１ｂの反対側を向く面である。更に、隠蔽シート１は、表面１１ａに位置する剥離処理剤層１４、及び裏面１１ｂに位置するプライマー層１５、の少なくともいずれかを備えてもよい。また、剥離処理剤層１４及びプライマー層１５は、基材層１１の一部に配置されていてもよい。少なくとも、プライマー層１５は粘着層１２が基材層１１に接する部位、剥離処理剤層１４は次の隠蔽シート１（隠蔽シート１に重ねられる別の隠蔽シート１）の粘着層１２が接触する部位に配置されていてもよい。
【００３３】
基材層１１は透明又は半透明である。例えば、隠蔽シート１の隠蔽層１３が設けられない部分が透明部３に相当し、隠蔽シート１の隠蔽層１３が設けられた部分が不透明部４に相当する。基材層１１は、無色透明であってもよいし、着色透明又は着色半透明であってもよい。基材層１１が無色透明である場合、書面Ｆの非隠蔽情報等をより鮮明に視認可能とすることができる。一方、基材層１１が着色透明である場合、又は基材層１１が半透明（着色半透明を含む）である場合、例えば書面Ｆに隠蔽シート１が貼り付けられていることを一層分かりやすくすることが可能である。
【００３４】
基材層１１は、例えば、紙又はフィルムである。基材層１１は、透明化（又は半透明化）処理された紙であってもよく、基材層１１が紙である場合、例えば、基材層１１は投写紙（トレーシングペーパー）である。一例として、基材層１１はパルプを叩解して加工することによって形成される紙であってもよく、基材層１１の材料は光を透過する木材繊維（例えばセルロース）を含んでいてもよい。
【００３５】
更に、基材層１１は、グラシン紙、パラフィン紙、又は硫酸紙であってもよい。また、基材層１１は、鉛筆又はペン等の筆記具によって書き込み可能であってもよい。この場合、隠蔽シート１の透明部３に書き込みができるので、書面Ｆに直接書き込まずに書面Ｆに対するメモ書き等を行うことが可能である。すなわち、隠蔽シート１を付箋として使用することも可能となる。また、基材層１１については、必要とされる透過性に応じて、厚み又は坪量を選択することができ、一般的には、基材層１１の厚みを薄くすることによって基材層１１の透過性を向上することが可能である。
【００３６】
基材層１１が透明又は半透明のフィルムである場合、例えば、基材層１１は樹脂製であってもよい。また、基材層１１は、合成樹脂が薄いシート状に成形されたものであってもよい。基材層１１の材料は、ポリ塩化ビニル（ＰＶＣ）、ポリエステル（ＰＥｓ）、ポリエチレンテレフタレート（ＰＥＴ）、ポリメタクリル酸メチル（ＰＭＭＡ）、ポリウレタン（ＰＵＲ）、セルロースアセテート（ＣＡ）、ポリスチレン（ＰＳ）、ポリブタジエン（ＢＲ）、ポリアクリロニトリル（ＰＡＮ）、アクリロニトリルブタジエンスチレン樹脂（ＡＢＳ）、アクリロニトリルスチレン樹脂（ＡＳ）、エチレン酢酸ビニル共重合体（ＥＶＡ）、及び、ポリエチレン（ＰＥ）又はポリプロピレン（ＰＰ）等のオレフィン系樹脂の少なくともいずれか、あるいは上記材料の複合物（共重合体やアロイ等）を含んでいてもよい。
【００３７】
粘着層１２は、基材層１１の裏面１１ｂに設けられ、手で簡単に剥がせる程度の接着力を有する。粘着層１２は、例えば、再剥離性の感圧接着剤（ＰＳＡ）によって構成されており、複数の球状の接着剤（微小球接着剤）を含んでいてもよい。この粘着層１２の接着剤によって隠蔽シート１が書面Ｆに剥離可能に接着され、複数回接着、及び再接着することも可能となる。粘着層１２の材料は、アクリル酸、アクリル酸エステル、メタクリル酸、メタクリル酸エステル、アクリルアミド、ビニルピロリドン、アミン、アルコール、カルボン酸、エポキシ、シリコーン又はスチレン等の重合物、あるいは前記化合物の修飾化合物の重合物、更に前記化合物の少なくとも２つを含む共重合体、を含む樹脂化合物から構成されてもよい。粘着層１２の形状は、微小球が拡散した状態でも、融合した一様状態でもよい。
【００３８】
隠蔽層１３は、表面１１ａに形成されてもよいし、裏面１１ｂに形成されてもよい。隠蔽層１３は、例えば、印刷によって形成される。但し、隠蔽層１３は、印刷以外の手段によって形成されてもよく、例えば、めっき、蒸着、又はシート若しくはシールの貼り合わせ、によって形成されてもよい。隠蔽層１３が貼り合わせによって形成される場合、一例として、基材層１１に一括して複数のシート又はシールが貼り合わされて複数の隠蔽層１３が一度に形成される。
【００３９】
隠蔽層１３の少なくとも一部は不透明である。すなわち、隠蔽層１３の全部が不透明であってもよいし、隠蔽層１３の一部が不透明であってもよい。より具体的には、隠蔽層１３全体が実質的に均一な不透明層となっていてもよく、また、被隠蔽情報と重ねられたときに被隠蔽情報が判別不能となるような不透明パターンが設けられてもよい。要は、隠蔽層１３が被隠蔽情報に重ねられたときに被隠蔽情報の内容が判別不能になれば、隠蔽層１３の態様は適宜変更可能である。
【００４０】
隠蔽層１３の色彩は、例えば、黒色である。隠蔽層１３の色彩が黒色である場合、隠蔽層１３が被隠蔽情報を隠す部位であることをより分かりやすくすることが可能である。但し、隠蔽層１３の色彩は、黒色以外の色彩であってもよく、例えば、赤色、青色、黄色、緑色、茶色、白色、又はこれらの組み合わせであってもよい。また、隠蔽層１３は、模様を有していてもよいし、模様を有しなくてもよい。隠蔽層１３の模様は、適宜変更可能であり、例えば、被隠蔽情報を判別しにくくする文字パターンであってもよい。
【００４１】
次に、隠蔽シート１及び隠蔽部材１０の製造方法の一例について説明する。まず、剥離処理剤層１４及びプライマー層１５のそれぞれを例えばグラビア法によって基材層１１に塗工する。その後、粘着層１２を例えばナイフコーティング法によって部分的に塗工し、一例として黒色の隠蔽層１３をグラビア印刷又はフレキソ印刷によって形成し、巻き取ることによって隠蔽シート１の原反を作製する。
【００４２】
次に、上記の原反を隠蔽シート１の単位に切り落として複数の隠蔽シート１を積層し、積層した複数の隠蔽シート１を所定のサイズ（一例としてＡ５サイズ）に断裁して積層体１０Ａを作製する。積層体１０Ａを作製しているとき、又は積層体１０Ａを作製した後に、積層体１０Ａの一番下の隠蔽シート１を台紙１０Ｂに貼り付けて隠蔽部材１０が完成する。
【００４３】
なお、隠蔽シート１及び隠蔽部材１０の製造方法は上記の例に限定されない。例えば、上記では、黒色の隠蔽層１３をグラビア印刷又はフレキソ印刷によって形成する例について説明したが、黒色及び白色、又は、黒色、黒色及び白色等、複数の隠蔽層１３を重ねて形成してもよい。この場合、隠蔽層１３が一層透けにくくなるので、隠蔽層１３による被隠蔽情報の隠蔽性能を更に高めることができる。
【００４４】
また、基材層１１の表面１１ａ及び裏面１１ｂの両方に隠蔽層１３を印刷してもよく、この場合も隠蔽性能をより高めることができる。また、隠蔽層１３の印刷は、粘着層１２を塗工する前、又は、粘着層１２を塗工した後且つ隠蔽シート１を断裁する前、に行ってもよい。更に、隠蔽シート１のサイズ、及び隠蔽層１３の位置は、書面Ｆの種類、又は書面Ｆの被隠蔽情報の場所によって適宜変更可能である。
【００４５】
続いて、隠蔽シート１の貼り付け方法について図３及び図４を参照しながら説明する。例えば、図４に示されるように、複数の隠蔽シート１が隠蔽部材１０の積層体１０Ａとしてパッド状とされた状態において、まず、積層体１０Ａから１番上の隠蔽シート１を剥がす。そして、図３に示されるように、剥がした隠蔽シート１の向きを書面Ｆの向きに合わせて、書面Ｆの印部Ｆ９と印部Ｆ１０のそれぞれに位置合わせ部５，６それぞれの位置を合わせて書面Ｆに粘着部２を貼り付けることにより、隠蔽シート１の貼り付けが完了する。このように隠蔽シート１の貼り付けを簡単に行うことができると共に、１枚の隠蔽シート１を貼り付けて書面Ｆの複数の被隠蔽情報を一度に隠すことが可能である。また、書面Ｆを破棄するときには、隠蔽シート１を書面Ｆから剥がすだけで簡単に隠蔽シート１を剥がすことができる。
【００４６】
次に、本実施形態に係る隠蔽シート１及び隠蔽部材１０の作用効果について詳細に説明する。
【００４７】
図５に示されるように、隠蔽シート１は、透明又は半透明の基材層１１の裏面１１ｂに剥離可能な粘着層１２が設けられると共に、基材層１１の一部に、少なくとも一部が不透明な隠蔽層１３が配置される。従って、被隠蔽情報に隠蔽層１３が重なるように書面Ｆ等の貼り付け対象物に隠蔽シート１が貼り付けられることにより、隠蔽層１３の不透明な部分によって被隠蔽情報を隠して保護することができる。
【００４８】
また、基材層１１の一部に複数の隠蔽層１３が設けられることにより、１枚の隠蔽シート１の複数の隠蔽層１３で複数の被隠蔽情報を一度に隠すことができる。従って、隠すべき情報が１つの書面Ｆに複数存在しても、１枚の隠蔽シート１を貼り付けて複数の被隠蔽情報を同時に隠すことができる。その結果、隠蔽シート１を貼り付ける作業を容易に行うことができると共に、隠蔽シート１を剥がす作業を容易に行うことができる。
【００４９】
具体例として、公共職業安定所では年間数百万通の書類を扱い、１枚の書類に含まれる被隠蔽情報の数が１０を超えることがあるが、被隠蔽情報のそれぞれに隠蔽性粘着テープ等を貼り付ける場合には、隠蔽性粘着テープ等を貼り付ける箇所が１千万を超えることとなる。その個々の隠蔽性粘着テープの貼り付け作業は、被隠蔽情報を十分隠し、被隠蔽情報でない部分を隠さないようにできる適切な幅の隠蔽性粘着テープを選択した上で適切な長さに切り取り、位置を合わせながら隠蔽性粘着テープを貼り付けるため、全体では膨大な時間と労力を要する。また、これらの作業は、隠蔽すべき情報を取り扱うため、不特定多数の作業者が行う作業ではなく、必然的に限られた作業者によって行われることとなるので、特定の作業者に作業が集中することとなる。これに対し、本実施形態に係る隠蔽シート１では、１枚の書類に１枚の隠蔽シート１を貼り付けて複数の被隠蔽情報を一度に隠蔽することができる。従って、１枚の書類に１枚の隠蔽シート１を貼り付けるだけで１枚の書類に対する貼り付け作業を完了できるので、貼り付け作業の時間と労力を格段に軽減させることができる。
【００５０】
更に、透明又は半透明の基材層１１の一部に隠蔽層１３が設けられるので、隠さなくてよい箇所は基材層１１の隠蔽層１３が設けられない部分（透明部３）から視認可能となる。すなわち、基材層１１の残部から被隠蔽情報以外の情報を視認可能とすることができる。
【００５１】
隠蔽シート１は、書面Ｆの予め定められた位置（例えば印部Ｆ９，Ｆ１０）に位置合わせされる位置合わせ部５，６を備えてもよい。この場合、書面Ｆの予め定められた位置に位置合わせ部５，６を位置合わせすることにより、被隠蔽情報に隠蔽層１３を重ねて隠蔽シート１を貼り付けることができるので、位置合わせを容易に行って隠蔽シート１を一層効率よく書面Ｆに貼り付けることができる。従って、隠蔽シート１を適切な位置に容易に貼り付けることができる。また、位置合わせ部５，６のそれぞれに対応する印部Ｆ９，Ｆ１０等、複数の位置合わせ部を設けることにより、被隠蔽情報に対する隠蔽層１３の位置合わせにかかる作業性が格段に向上する。
【００５２】
隠蔽層１３は、書面Ｆの被隠蔽情報の箇所に応じて設けられてもよい。この場合、被隠蔽情報の箇所に応じて隠蔽層１３が設けられるので、隠蔽シート１を貼り付けて一層容易に被隠蔽情報を隠すことができる。
【００５３】
隠蔽層１３は、基材層１１に印刷によって形成されてもよい。この場合、印刷によって複数の隠蔽層１３を１つの基材層１１に同時に形成することができる。従って、隠蔽シート１の製造を容易に行うことができる。
【００５４】
粘着層１２は、基材層１１の端部に形成されていてもよい。この場合、基材層１１の端部でない箇所には粘着層１２が形成されていないので、当該箇所から隠蔽シート１を容易に剥がすことができる。また、粘着層１２が基材層１１の端部に形成されることにより、基材層１１の端部の粘着層１２を書面Ｆに貼り付ければよいので、隠蔽シート１の貼り付け作業を更に容易に行うことができる。
【００５５】
なお、図６の変形例に示されるように、粘着層１２が基材層１１の両端（一例として上下両端）に形成されてもよい。この場合、隠蔽シート１をより剥がれにくくすることができる。一対の粘着層１２のうち１つの粘着層１２が端よりも内側に形成されていてもよい。この場合、一対の粘着層１２によって隠蔽シート１を剥がれにくくすることができると共に、内側に位置する粘着層１２の端部側を手で持って隠蔽シート１を剥がしやすくすることができる。
【００５６】
また、粘着層１２は、基材層１１の左端、右端、及び下端の少なくともいずれかに形成されてもよいし、端部でない位置に形成されてもよい。但し、粘着層１２が基材層１１の上端に形成される場合、書面Ｆ等に隠蔽シート１を貼り付けたまま横開きファイルに綴じたときにページめくりによって隠蔽シート１がめくれあがることを抑制することができ、ページめくりによって不用意に書面Ｆの被隠蔽情報が見えてしまうことを防止することが可能となる。更に、基材層１１の全周又は全面に粘着層１２が形成されてもよい。この場合、隠蔽シート１が貼り付けられた書面Ｆ等をプリンタ又はＦＡＸに通したときに搬送エラーを生じにくくすることができる。
【００５７】
隠蔽部材１０は、複数の隠蔽シート１が積層された積層体１０Ａを備える。よって、隠蔽部材１０は、複数の隠蔽シート１が積層された積層体１０Ａを備えるので、積層体１０Ａから１枚ずつ隠蔽シート１を剥がすことにより、付箋と同様、手軽に隠蔽シート１を剥がして使うことができる。また、複数の隠蔽シート１が積層されていることにより、隠蔽シート１を支持する台紙１０Ｂの枚数を減らす（例えば１枚にする）ことができる。
【００５８】
以上、本実施形態に係る隠蔽シート１及び隠蔽部材１０について説明したが、本開示は前述した実施形態に限定されるものではない。本開示は、その要旨を逸脱しない範囲において種々の変形が可能である。すなわち、隠蔽シート及び隠蔽部材の各部の形状、大きさ、材料、数及び配置態様は適宜変更可能である。
【００５９】
例えば、前述の実施形態では、隠蔽シート１が剥離処理剤層１４及びプライマー層１５を備える例について説明した。しかしながら、剥離処理剤層１４及びプライマー層１５を省略することも可能である。また、前述の実施形態では、書面Ｆの被隠蔽情報の位置に対応する箇所に隠蔽層１３が設けられる隠蔽シート１について説明した。しかしながら、隠蔽層が設けられる箇所は、被隠蔽情報の位置に限られず適宜変更可能であり、例えば、書面の白紙の箇所に隠蔽層が設けられてもよいし、見せるべき箇所以外の箇所に隠蔽層が設けられてもよい。更に、位置合わせ部５を省略することも可能である。具体例として、書面に対する隠蔽シートの位置合わせのときに書面の端に隠蔽シートの端を合わせる仕様にすれば、位置合わせ部５を省略することも可能である。
【符号の説明】
【００６０】
１…隠蔽シート、２…粘着部、３…透明部、４…不透明部、５，６…位置合わせ部、１０…隠蔽部材、１０Ａ…積層体、１０Ｂ…台紙、１１…基材層、１１ａ…表面、１１ｂ…裏面、１２…粘着層、１３…隠蔽層、１４…剥離処理剤層、１５…プライマー層、Ｆ…書面、Ｆ１…帳票種別コード、Ｆ２…個人番号（被隠蔽情報）、Ｆ３…氏名（被隠蔽情報）、Ｆ４…フリガナ（被隠蔽情報）、Ｆ５…性別（被隠蔽情報）、Ｆ６…生年月日（被隠蔽情報）、Ｆ７…現住所（被隠蔽情報）、Ｆ８…備考、Ｆ９，Ｆ１０…印部。
【図１】
2020034881.tif 000003
【図２】
2020034881.tif 000004
【図３】
2020034881.tif 000005
【図４】
2020034881.tif 000006
【図５】
2020034881.tif 000007
【図６】
2020034881.tif 000008